(57)【要約】【課題】近接する隣家に面した開口部に設置されたとしても、居室の暗さを低減することが可能な照明システムを提供すること。【解決手段】この照明システム１００は、建物の外壁Ｗａに設けられた開口部Ｗを介して居室に光を取り入れるものであって、開口部Ｗ上に突設される庇ユニット１０に照明光源２０が設けられ、当該照明光源２０は、庇ユニット１０から開口部Ｗの方向に指向性を有する光を発することを特徴とする。【選択図】図２
2016181407.tif 000002
【特許請求の範囲】
【請求項１】
建物の外壁に設けられた開口部を介して居室に光を取り入れる照明システムであって、
前記開口部上に突設される庇に照明光源が設けられ、
前記照明光源は、前記庇から前記開口部の方向に指向性を有する光を発することを特徴とする照明システム。
【請求項２】
前記照明光源は、複数のＬＥＤからなることを特徴とする請求項１に記載の照明システム。
【請求項３】
前記居室に設けられ、前記居室の光の量を測定するセンサと、
前記センサにより測定された値に応じて前記照明光源からの色温度や光束を制御する制御装置と、を有することを特徴とする請求項１又は２に記載の照明システム。
【請求項４】
前記センサは、輝度センサ又は照度センサのいずれかを含むことを特徴とする請求項３に記載の照明システム。
【請求項５】
時間を計測する計測手段を備える制御装置を有し、
前記制御装置は、前記計測手段により計測された時間に応じて、前記照明光源からの色温度や光束を制御することを特徴とする請求項１乃至４のいずれか１項に記載の照明システム。
【請求項６】
前記庇に設けられ、前記開口部の輝度を下げるためのブラインドを有することを特徴とする請求項１乃至５のいずれか１項に記載の照明システム。
【発明の詳細な説明】
【技術分野】
【０００１】
本発明は、照明システムに関する。
【背景技術】
【０００２】
住宅用照明システムとして、例えば建物の屋外の光（直接光や天空光）を居室に採り込み採光装置がある。この採光装置は、建物の窓等の開口部の近傍に取り付けて居室の明るさを確保するものである。この採光装置を用いると、建物の開口部を大きくすることなく多くの天空光を採り込むことができる、とされている。
【０００３】
ところが、上記のような採光装置には以下の問題がある。すなわち、採光装置は、太陽の方位、高度に影響を受けるため、都市部で多くみられる隣棟間隔が狭い住宅の開口部に採光装置を設置した場合には、光を開口部を介して居室に十分に採り込むことができず、十分な効果が得られないという問題があった。
【０００４】
このような問題を解決することを意図して、上記の採光装置に、照明器具を設けることにより、居室の明るさを向上させうるという知見を本発明者らは見出した。照明器具としては、例えば下記特許文献１に記載されたような、ドア又は引き戸とは別に独立した照明器具を玄関の庇軒天等に設置し、建物の玄関回りの照明として玄関ドア又は玄関フロアを照らすものが公知である。本発明者らが見出した構成（開口部に設置された採光装置に、下記特許文献１の照明器具を設けた構成）によれば、近接した隣家の開口部に採光装置を設置した場合に生じる問題をある程度は解消することができる。
【先行技術文献】
【特許文献】
【０００５】
【特許文献１】特開２００６−１１２１３５号公報
【発明の概要】
【発明が解決しようとする課題】
【０００６】
しかしながら、本発明者らが見出した構成によっても依然として問題は残っていた。具体的には、上記特許文献１に記載された照明は、主に玄関ドア又は玄関フロア（玄関ドアの外側の空間）を照らすことのみを目的とし、玄関ドアの内側の空間を照らすことを目的としていない。言い換えれば、上記特許文献１に記載された照明は、当該照明が設けられた玄関の庇から居室に向けて光を発することを目的としていない。このため、上記採光装置に、上記特許文献１に記載されたような照明を適用したとしても、当該照明により開口部の外側（屋外）が照らされるものの、当該照明からの光が、開口部を介して居室に入りにくいという問題があった。このように、居室の明るさの向上を図ることに関し、依然として問題は残っていた。
【０００７】
本発明は、このような課題に鑑みてなされたものであり、その目的は、近接する隣家に面した開口部に設置されたとしても、居室の明るさの向上を図ることが可能な照明システムを提供することにある。
【課題を解決するための手段】
【０００８】
上記課題を解決するために本発明に係る照明システムは、建物の外壁に設けられた開口部を介して居室に光を取り入れる照明システムであって、前記開口部上に突設される庇に照明光源が設けられ、前記照明光源は、前記庇から前記開口部の方向に指向性を有する光を発することを特徴とする。
【０００９】
本発明に係る照明システムでは、開口部上に突設した庇に照明光源を設置し、当該照明光源から開口部の方向に指向性を有する光を発する。このように構成することにより、単に点灯のみを目的とする照明を庇に設ける場合と比較して、開口部を介して居室へ向かう光の量を増加させることができる。その結果、太陽の直射光が望めないような、隣棟間隔が狭い都市部の住宅であっても、近接する隣家に面した開口部を介して居室に入る光の量を増やすことでき、居室の明るさを向上させることができる。
【００１０】
また本発明に係る照明システムでは、前記照明光源は、複数個のＬＥＤからなることも好ましい。
【００１１】
また本発明に係る照明システムでは、前記居室に設けられ、前記居室の光の量を測定するセンサと、前記センサにより測定された値に応じて前記照明光源からの色温度や光束を制御する制御装置と、を有することも好ましい。
【００１２】
また本発明に係る照明システムでは、前記センサは、輝度センサ又は照度センサのいずれかを含むことも好ましい。
【００１３】
また本発明に係る照明システムでは、時間を計測する計測手段を備える制御装置を有し、前記制御装置は、前記計測手段により計測された時間に応じて、前記照明光源からの色温度や光束を制御することも好ましい。
【００１４】
また本発明に係る照明システムでは、前記庇に設けられ、前記開口部の輝度を下げるためのブラインドを有することも好ましい。
【発明の効果】
【００１５】
本発明によれば、隣棟間隔が狭い住宅地における、近接する隣家に面した開口部に設置されたとしても、居室の明るさを向上させることが可能な照明システムを提供することができる。
【図面の簡単な説明】
【００１６】
【図１】本発明の実施形態に係る照明システムを配置した住宅を示す概略図である。
【図２】図１に示す照明システムの概略構成を示す模式図である。
【図３】本発明の実施形態に係る照明システムを採用した場合の開口部の輝度と、従来例の開口部の輝度について比較するための図である。
【発明を実施するための形態】
【００１７】
以下添付図面を参照しながら本発明の実施形態について説明する。なお、以下の実施形態はあくまでも好適な適用例であって、本発明の適用範囲がこれに限定されるものではない。
【００１８】
本発明の実施形態に係る照明システム１００は、図１に示すように、都市部にある住宅Ｈの低層階の居室に設けられている、住宅Ｈの南側の外周壁には、開口部Ｗｓが設けられている。開口部Ｗｓは、例えば掃出し窓等の大型の窓である。また、住宅Ｈの隣家ＨNに近接する東側の外周壁の北寄りの位置には、開口部Ｗが設けられている。開口部Ｗは例えば、縦辷り出し窓等の比較的小型の窓である。照明システム１００は、開口部Ｗに設置されており、当該開口部Ｗを介して居室に光を入れるためのものである。都市部の場合、住宅Ｈと隣家ＨNとの隣棟間隔が狭く、隣家ＨNに面する開口部Ｗからは直射光や天空光の入射が十分に望めないため、単に直射光や天空光を反射させて開口部Ｗを介して居室に光を採り込むだけでは、居室の明るさが不十分となる場合がある。この場合に、本実施形態で示す照明システム１００が必要となる。同図に明らかなように、隣家ＨNに面していない開口部ＷSを介して十分な光を採りこむことが可能であるものの、当該開口部ＷSを介して採り込まれた光は、住宅Ｈの居室の北側（図１における上部側）の領域まで十分に光が届かない。このように、屋外の光ＬSを住宅Ｈの開口部ＷSを介して採り込むことが可能であるとしても、居室の一部の領域の明るさが不十分な場合に、本実施形態における照明システム１００を補助的に設けると特に有効である。
【００１９】
図２は、図１に示す照明システム１００の概略構成を示している。照明システム１００は、建物の外壁Ｗａに設けられた開口部Ｗを介して居室に光を取り入れるためのものであり、庇ユニット１０と、照明光源２０と、センサ３０と、ブラインド４０と、制御装置９０とを備える。
【００２０】
庇ユニット１０は、開口部Ｗの上方側に設けられ、屋外側に突設して建物の外壁Ｗａへ取り付けられている。庇ユニット１０には、照明光源２０が設けられている。図２では、庇ユニット１０に照明光源２０を設置したものが図示されているが、これに限定されず、庇ユニット１０に照明光源２０を設けずに、例えばスポットライトのような構成として建物の外壁Ｗａに照明光源２０を取り付けることも可能である。
【００２１】
照明光源２０は、通電すると発光して照明を行うものであって、特定の方向（本実施形態では開口部Ｗの方向）に指向性を有する光Ｌを発する光源を備えている。指向性を有する光源として、本実施形態では例えばＬＥＤを設け、このＬＥＤを必要な照度が得られるように１個又は複数個設けている。照明光源２０への通電の制御は、制御装置９０によって行われる。照明光源２０が発光すると、照明光源２０からの光Ｌは、図２に示すように、庇ユニット１０から開口部Ｗのガラス面を通り居室に導入される。なお、照明光源２０としてはＬＥＤに限定されるものではなく、ＬＥＤの他にも、開口部に向かう指向性を有する光を発する機能を有するものであれば、様々なものが選択され得る。また、図示は省略するが、庇ユニット１０に太陽光で発電する太陽電池（図示省略）と当該太陽電池で発生した電力を蓄えるバッテリー（図示省略）を設けて、この電力を利用して照明光源２０の発光量を調整するようにしてもよい。
【００２２】
センサ３０は、建物の居室に設けられ、居室の光の状況を測定する機能を有する検知装置である。具体的には、センサ３０としては、開口部Ｗの明るさ及び外周壁Ｗａ（特に居室側の面Ｗａａ）の明るさを測定可能な輝度センサが好適であるが、単位面積あたりに照射された光束（照度）を測定可能な照度センサを用いることも可能である。センサ３０は、制御装置９０に電気的に接続されており、センサ３０によって測定された測定データ（居室の光に関するデータ、例えば輝度や照度に関する情報）は随時、制御装置９０に送信される。後述するように、制御装置９０は、センサ３０によって測定された値に基づいて照明光源２０からの光の色温度や光束を制御する。
【００２３】
ブラインド４０は、隣家（図１の隣家ＨN）の壁面輝度（換言すると、住宅Ｈの居室から開口部Ｗを視認した際の輝度）を下げて、開口部Ｗ近傍の室内側壁面が暗く見える現象を低減させるための部材である。ブラインド４０は、隣家の壁面に反射して住宅Ｈ（図１参照）の開口部Ｗを介して居室に入ってくる光を遮るように、例えば庇ユニット１０の先端部に取り付けられている。ブラインド４０は、隣家の壁面に反射して住宅Ｈの開口部Ｗの方向に向かう光を完全に遮るものでもよいが、例えば面格子のような所定の隙間のあるものであって、完全に遮らないものでもよい。また、ブラインド４０は、光を完全に遮る場合と、完全には遮らない場合とで調整可能なように、例えば面格子の所定の隙間の大きさを変える機能を有していても良い。ブラインド４０は、本実施形態では、庇ユニット１０に設けられているが、これに限定されるわけではなく、住宅Ｈと隣家ＨNとの間に配置され、隣家ＨNの壁面輝度を下げる機能を有していれば、適宜住宅Ｈの必要箇所に設置することが可能である。
【００２４】
制御装置９０は、いわゆるマイクロコンピュータであって、ＣＰＵ、ＲＯＭ、ＲＡＭ及び入出力インタフェースなどを備えている。制御装置９０は、照明光源２０、センサ３０、ブラインド４０などに電気的に接続されている。制御装置９０は、これらの動作を制御することによって、開口部Ｗを介して居室側に導入される光の色温度や照度を制御し、居室への配光を調整することが可能となっている。例えば、制御装置９０は、センサ３０（輝度センサ又は照度センサ）により測定された測定データに応じて照明光源２０からの色温度や照度を制御することが可能である。
【００２５】
また制御装置９０は、以下のように、時間に応じて照明光源２０からの色温度や照度を制御することも可能である。本実施形態では、制御装置９０には、時間を計測する計測手段（タイマー）としての機能が備えられ、このタイマーによって計測された時間帯に応じて、照明光源２０からの色温度や照度を制御装置９０が調整したり、居室に入る可視光の周波数を制御したりすることが可能である。可視光の周波数を時間帯に応じて制御することによって、居室に、より自然な印象の光を採り込むことのみならず、朝の覚醒に対する補助等を行うことができ、居住者のリズムを整えることができる。なお、制御装置９０に時間を計測する計測手段を搭載する代わりに、時間を計測するタイマーを別途設けても良い。
【００２６】
上述した時間帯に応じて色温度を調整する方法としては、例えば朝の時間帯、昼の時間帯、夕方の時間帯に応じて照明光源２０が発する光の色温度を制御装置９０によって制御することが好適である。一般的に、朝の時間帯は太陽光の色温度が低く（例えば、４５００Ｋ〜５０００Ｋ程度）、昼の時間帯は太陽光の色温度が高く（例えば、６０００〜６５００Ｋ程度）、夕方の時間帯は太陽光の色温度が中程度（例えば、５０００〜５５００Ｋ）であるため、タイマーによって計測された時間帯が例えば朝の時間帯である場合には、制御装置９０は照明光源２０を制御して、色温度を増加させることが好ましい。また、タイマーによって計測された時間帯が例えば昼の時間帯である場合には、制御装置９０は照明光源２０を制御し、色温度を低下させることが好ましい。
【００２７】
このように、時間帯に応じて、照明光源２０からの光の色温度を最適な状態に維持することが可能となっている。居室の状況とは別に、照明光源２０からの光の色温度を時間帯に応じて制御できる結果、例えば色温度が比較的低い朝の時間帯の場合に、色温度を増加させて、居室の明るさを調整することが可能となる。
【００２８】
なお、図２では、制御装置９０が庇ユニット１０と別体として設けられる例を示しているが、例えば制御装置９０を庇ユニット１０に組み込む構成とすることも可能であり、その配置は適宜選択することが可能である。
【００２９】
以上のように、本実施形態における照明システム１００では、開口部Ｗ上方の外側に突設した庇ユニット１０に照明光源２０を配置し、当該照明光源２０から開口部Ｗに向かう指向性を有する光を発する。このような照明光源２０により、単に点灯のみを目的とする照明を庇ユニット１０に設ける場合と比較して、開口部Ｗを介して居室へ向かう光の量を増加させることができる。その結果、直射光や天空光の入射が望めないような、隣棟間隔が狭い都市部の住宅であっても、近接する隣家に面した開口部Ｗを介して居室に採り込まれる光の量を増やすことでき、居室の暗さを低減することができる。
【００３０】
また本実施形態における照明システム１００では、次のような効果も奏する。従来から広く採用されているように、居室の明るさの向上を図ることを目的として居室の照明を点灯する構成が知られているが、この場合は、開口部とは違う場所からの光になるため、目の順応の考慮を行わなければ、不十分な明るさとなり不快を伴うおそれがある。これに対し、本実施形態における照明システム１００では、開口部Ｗを介して居室に光を採り入れて居室の暗さの低減を図るので、自然光（太陽光）と同じ方向からの光を採り入れることができる。その結果、居室の明るさのバランスを整えることができると共に、目の機能の観点及び心理的な観点からも有効なものとすることができる。
【００３１】
また本実施形態では、センサ３０によって開口部Ｗの明るさ及び居室側の壁Ｗａａの明るさを含む居室の光の量を測定し、当該測定データに基づき、照明光源２０から発せられる光の色温度や強さを制御する。これにより、居室の光環境に応じた光を開口部Ｗを介して居室に採り込むことができるので、居室への配光が制御され、居室の光環境に適した光を採り込むことができる。
【００３２】
また本実施形態では、開口部Ｗの面の輝度を下げるためのブラインド４０が設けられている。このブラインド４０により、隣家ＨNの壁面で反射して住宅Ｈの開口部Ｗの方向へ向かう光を所定量遮ることが可能となっている。このブラインドを設けていない場合（従来例）では、図３（Ｂ）に示すように、居室からみた場合に、開口部面の輝度が高いものとなっていたが、本実施形態では、図３（Ａ）に示すように、開口部面の輝度を過度に上げないようにすることができ、かつ、照明光源２０によって開口部Ｗの輝度に影響を与えにくい光を居室に補充しているため、居室の明るさのバランスを整えることができる。
【００３３】
以上、具体例を参照しつつ本発明の実施形態について説明した。しかし、本発明はこれらの具体例に限定されるものではない。すなわち、これら具体例に、当業者が適宜設計変更を加えたものも、本発明の特徴を備えている限り、本発明の範囲に包含される。前述した各具体例が備える各要素およびその配置、材料、条件、形状、サイズなどは、例示したものに限定されるわけではなく適宜変更することができる。
【符号の説明】
【００３４】
１０：庇ユニット（庇）
２０：照明光源
３０：センサ
４０：ブラインド
９０：制御装置
１００：照明システム
Ｈ：住宅
Ｗ：開口部
Ｗａ：外壁
【図２】
2016181407.tif 000003
【図１】
2016181407.tif 000004
【図３】
2016181407.tif 000005